(57)【特許請求の範囲】
【請求項１】
電子部品を収容する筐体の外周部分に、該筐体内への水の浸入を防止する防水部材と、ストラップを取り付けるためのストラップ取付部とが設けられた携帯機器であって、
前記ストラップ取付部は、前記筐体を構成するキャビネットに一体形成された、前記ストラップを巻き掛け可能な被掛止部と、該被掛止部の周囲を延びて該被掛止部の両側で前記筐体の同一側面に開通した、前記ストラップが挿し通される通し孔と、を備え、
前記キャビネットには、前記通し孔と内部空間が連続し、且つ当該キャビネットの側面に開口する収容孔が設けられ、
前記通し孔の内面のうち前記被掛止部よりも奥側に位置する部分の少なくとも一部は、前記収容孔に収容された、前記キャビネットとは別ピースの補填部品で構成され、
前記補填部品は、前記収容孔に収容された状態で、前記キャビネットの側面を覆う外装部品によって抜け止めされ、
前記キャビネットには、前記通し孔が開通された側面と同じ側面に開口した、前記補填部品を挿し入れ可能な凹部が設けられ、
前記収容孔は、前記凹部の内壁のうち前記ストラップ取付部側の側壁に設けられ、
前記外装部品は、前記凹部内に突出する突片を有し、前記凹部の開口を塞ぐと共に、前記突片を前記補填部品のうち前記通し孔側とは反対側の面に当接することで、前記補填部品を抜け止めする
ことを特徴とする携帯機器。
【請求項２】
請求項１に記載された携帯機器において、
前記通し孔の内面は、一方の開口から挿し入れられた前記ストラップを他方の開口へ案内するガイド面を有し、
前記補填部品は、前記ガイド面のうち少なくとも一部を構成している
ことを特徴とする携帯機器。
【発明の詳細な説明】
【技術分野】
【０００１】
本発明は、ストラップ（吊紐）を取付け可能な携帯機器に関する。
【背景技術】
【０００２】
従来から、携帯電話機に代表される携帯機器に、ポケットや鞄からの取出し性の向上、持ち主識別性の向上、機器落下の防止などを目的として、好みのストラップを取り付けることが行われており、携帯機器にはそのためのストラップ取付部が設けられている。このストラップ取付部は、ストラップを通し易いように、ストラップの通し孔を筐体の異なる２面に開通させて携帯機器の角部に設けられることが多いが、デザイン性の向上や内部構造の効率化の要請により、そうした携帯機器の角部への配置が制限される場合がある。
【０００３】
例えば、スマートフォンと呼ばれる携帯端末では、通信用のアンテナとして、伸長させることで通信感度を向上させることが可能な伸縮式のロッドアンテナに代えて、成形回路品からなる内蔵固定式のアンテナを採用するものが増えてきている。内蔵固定式のアンテナは、一般的に、携帯端末における他の構成部品やユーザーの手による把持部分を避けて電波の送受信を良好に行えるようにするため、携帯端末の角を含む上下部分に配置されている。このような配置でアンテナが内蔵された携帯端末では、ストラップ取付部を意匠性の観点から筐体に隆起させずに設けようとする場合には、角部に配置することが難しい。
【０００４】
上記の場合、ストラップ取付部には、携帯端末の角から外れた部分でストラップの通し孔を筐体の同一側面に開通させた構造が好適に採用される。このようなストラップ取付部の構造としては、通し孔に挿し通したストラップが巻き掛けて固定される被掛止部を筐体と一体形成し、通し孔の内面にストラップを案内するガイド面を有する構造が知られている。その一例として、特許文献１には、ストラップの損傷を防止するために、被掛止部（第２巻付部）におけるストラップの巻付け面を湾曲状又は平坦状に形成した機器が開示されている。
【０００５】
また、近年では、携帯機器に、電子部品を収容する筐体内への外部からの水の浸入を防ぐ防水構造を採用することが一般的になってきている。携帯機器の防水構造としては、筐体や部品の隙間を、ゴム等の柔軟性を有する材料からなるパッキンや両面テープ、防水性を有するシート、ボンド、ゲル等の防水部材で密閉することが知られている。ストラップ取付部は、このような防水構造による筐体内部への防水を確実にするために、筐体の部品収容部から独立した部分、つまり筐体外側の非防水領域に設けられることが好ましい。
【先行技術文献】
【特許文献】
【０００６】
【特許文献１】特開２００９−８８４９号公報
【発明の概要】
【発明が解決しようとする課題】
【０００７】
図１２は、特許文献１に開示されたようなストラップ取付部３０３と防水構造とを備えた一例の携帯端末３０１において、ストラップ取付部３０３及びその周辺部分を示す断面図である。特許文献１に開示されたようなストラップ取付部３０３では、例えば図１２に示すように、ストラップの通し孔３０７が被掛止部３０５の両側で筐体３０９の同一側面に開通しているため、ストラップを通し孔３０７に通す過程で折り返さねばならず、通し孔３０７に、一方の開口から挿し入れられたストラップを他方の開口に向けてＵターンさせる部分が形成されている。この通し孔３０７の全体を筐体３０９に作り込もうとすると、少なくとも被掛止部３０５の裏側に対応する部分３０７ａ（図１２に破線で示す斜線を付した部分）は、筐体３０９の厚さ方向（図１２の紙面奥行き方向）へ抜くスライド型を利用して形成せざるを得ない。
【０００８】
このようなスライド型を用いて通し孔３０７を形成する場合には、通し孔３０７に連続するスライド型を抜くための開口によって防水構造が阻害される。このことについて、以下に、図１３を参照しながら説明する。図１３は、図１２のXIII−XIII線における携帯端末３０１の部分断面図である。
【０００９】
防水構造を備えた携帯端末３０１では、図１３に示すように、筐体３０９を構成するキャビネット３１１の外周部分と、このキャビネット３１１の前後両側に配置された部品、例えば筐体３０９を構成するリヤカバー３１３及び表示パネル３１５との間に防水部材３１７がそれぞれ挟み込まれ、それによって筐体３０９内部を防水しているが、上述したスライド型を抜くための開口３１９がキャビネット３１１の厚さ方向における一方側に開口していると、せっかく防水構造を採っていても、端末外部から通し孔３０７に水が入った場合に、その水がスライド型を抜くための開口３１９から筐体３０９内部に侵入してしまう。
【００１０】
そこで、携帯端末３０１の防水構造を阻害しないために、図１３に二点鎖線で示すようにスライド型を抜くための開口３１９を全体に亘って防水部材３１７で塞ぐか、或いは当該開口３１９を避けて通し孔３０７よりも筐体３０９内方の部分に防水部材３１７を設けることが考えられるが、そうすると、通し孔３０７の奥側壁部３２１には防水部材３１７による防水を実現するための最低限の厚さが要求されるし、当該奥側壁部３２１をリヤカバー３１３との間に防水部材３１７を挟み込むべくリヤカバー３１３付近にまで延ばさないといけなくなる。このように、通し孔３０７の奥側壁部３２１の厚さ及び高さが防水部材３１７との関係で筐体３０９内の防水を実現するのに必要なサイズに制限されることから、ストラップ取付部３０３を必要以上に大きく設けることとなり、その結果、筐体３０９内部のスペースが圧迫されてしまう。
【００１１】
本発明は、斯かる点に鑑みてなされたものであり、その目的とするところは、防水構造を阻害せずに筐体内部のスペースが圧迫されるのを抑制できるストラップ取付部を備えた携帯機器を提供することにある。
【課題を解決するための手段】
【００１２】
本発明は、電子部品を収容する筐体の外周部分に、筐体内への水の浸入を防止する防水部材と、ストラップを取り付けるためのストラップ取付部とが設けられた携帯機器を対象とし、以下の解決手段を講じたものである。
【００１３】
すなわち、本発明は、ストラップ取付部が、ストラップを巻き掛け可能な被掛止部と、ストラップが挿し通される通し孔と、を備えた構成を有する。被掛止部は、筐体を構成するキャビネットに一体形成されている。他方、通し孔は、その被掛止部の周囲を延びて被掛止部の両側で筐体の同一側面に開通している。また、キャビネットには、通し孔と内部空間が連続し、且つ当該キャビネットの側面に開口する収容孔が設けられている。通し孔の内面のうち被掛止部よりも奥側に位置する部分の少なくとも一部は、収容孔に収容された、キャビネットとは別ピースの補填部品で構成されている。補填部品は、収容孔に収容された状態で、キャビネットの側面を覆う外装部品によって抜け止めされている。キャビネットには、通し孔が開通された側面と同じ側面に開口した、補填部品を挿し入れ可能な凹部が設けられている。収容孔は、凹部の内壁のうちストラップ取付部側の側壁に設けられている。外装部品は、凹部内に突出する突片を有し、凹部の開口を塞ぐと共に、突片を補填部品のうち通し孔側とは反対側の面に当接することで、補填部品を抜け止めする。
【００１４】
上記の構成によると、キャビネットの側面に開口した、通し孔に通ずる収容孔に補填部品を収容し、この補填部品で通し孔の内面のうち被掛止部よりも奥側に位置する部分の少なくとも一部を構成するようにしたから、通し孔のうち被掛止部の裏側に対応する部分を、収容孔を形成する金型、つまり収容孔の開口からキャビネットの側方へ抜く金型を利用して形成することができる。これにより、筐体の厚さ方向へ抜くスライド型を利用しなくても通し孔を形成でき、キャビネットに対しスライド型を抜くための開口を筐体の厚さ方向に形成しなくても済むので、防水部材を以て筐体内を良好に防水することができる。そして、通し孔の奥側壁部の厚さ及び高さが防水部材との関係で筐体内の防水を実現するのに必要なサイズに制限されないので、ストラップ取付部を小型化することができる。
【発明の効果】
【００１５】
したがって、本発明によれば、防水構造を阻害せずに筐体内部のスペースが圧迫されるのを抑制することができる。
【図面の簡単な説明】
【００１６】
【図１】本発明の実施形態１に係る携帯端末の外観斜視図である。
【図２】本発明の実施形態１に係る携帯端末の分解斜視図である。
【図３】図２のIIIで囲む部分を拡大して示す斜視図である。
【図４】図１のIV−IV線における携帯端末の断面図である。
【図５】図１のV−V線における携帯端末の断面図である。
【図６】本発明の実施形態１に係る携帯端末を構成するキャビネットの成形工程を示す図である。
【図７】本発明の実施形態１の変形例１に係る携帯端末の図５相当図である。
【図８】本発明の実施形態１の変形例２に係る携帯端末の要部の斜視図である。
【図９】本発明の実施形態２に係る携帯端末の図５相当図である。
【図１０】本発明の実施形態２に係る携帯端末を構成するキャビネットの成形工程を示す図である。
【図１１】本発明の実施形態２に係る携帯端末を構成する筐体の組立て工程を示す図である。
【図１２】参考例に係る携帯端末におけるストラップ取付部及びその周辺部分の断面図である。
【図１３】図１２のXIII−XIII線における携帯端末の部分断面図である。
【発明を実施するための形態】
【００１７】
以下、本発明に係る実施形態を図面に基づいて詳細に説明する。なお、以下の実施形態は、本質的に好ましい例示であって、本発明、その適用物、或いはその用途の範囲を制限することを意図するものではない。また、以下の実施形態では、説明の便宜上、携帯端末について、表示パネルの正面側を「前」、背面側を「後」と称し、上下方向における上側を「上」、下側を「下」と称し、表示パネルを正面側から見たときの左右方向における左側を「左」、右側を「右」と称する。
【００１８】
《発明の実施形態１》
図１に、この実施形態１に係る携帯端末１の外観斜視図を示す。また、図２に、この携帯端末１の分解斜視図を示す。携帯端末１は、図１に示すストレートタイプのスマートフォンと呼ばれる通話機能を備えた薄型の携帯機器であって、ストラップ１０１（後に参照する図４に示す）を取り付けるためのストラップ取付部３が内部に作り込まれた、外表面に隆起部分の無いシンプルな長方体状のデザインに作製されている。
【００１９】
この携帯端末１は、図２に示すように、前面視で略長方形状の扁平な筐体５内に、画像表示を行う表示ユニット７、メモリカードが装着されるカードソケット９、イヤホンジャック１１ａを有するジャック部品１１、スピーカ１３、マイク１５、通信用のアンテナ１７、近距離通信の機能を担うサブアンテナ組品１９、カメラユニット２１、電池パック２３、これらの動作を制御するメイン回路基板２５及びサブ回路基板２７などの複数の電子部品が収容された構造を有し、これら複数の電子部品７，９，１１，１３，１５，１７，１９，２１，２３，２５，２７の水濡れによる故障を防止する防水仕様とされている。
【００２０】
筐体５は、上記複数の電子部品７，９，１１，１３，１５，１７，１９，２１，２３，２５，２７を収納するキャビネット２９と、このキャビネット２９の後側に取り付けられるリヤカバーとしての板状の外観パネル３１とを有する。キャビネット２９は、従来のような正面側キャビネットと背面側キャビネットとを組み合わせる構造とは異なり、１つの樹脂成形品からなり、それによって携帯端末１の薄型化が図られている。
【００２１】
このキャビネット２９は、略長方形枠状に形成された樹脂製のフレーム部３３を備え、このフレーム部３３の内側開口を塞ぐように、例えばステンレス等からなる板金３５がインサート成形されてなる。そして、キャビネット２９は、板金３５の前側に設けられて前側に開口する相対的に浅い前側収容部３７（後に参照する図４に示す）と、板金３５の後側に設けられて後側に開口する相対的に深い後側収容部３９とを有する。
【００２２】
また、筐体５の外周部分を構成するフレーム部３３の前端面及び後端面には、平坦な貼付部４１，４３が枠状に設けられている。外観パネル３１は、フレーム部３３後側の貼付部４３に両面テープ４５を介して貼り付けられ、後側収容部３９の開口を塞いでいる。この外観パネル３１を貼り付ける両面テープ４５は、水を透過させない性質を有し、筐体５内への水の浸入を防止する防水部材として機能する。
【００２３】
表示ユニット７は、液晶パネルや有機ＥＬパネル等からなる表示パネル７ａを含む、タッチパネル付きの表示デバイスであって、キャビネット２９の前側収容部３７に収容されて、携帯端末１のユーザーインターフェースを構成している。表示パネル７ａは、フレーム部３３前側の貼付部４１に両面テープ４７を介して貼り付けられ、前側収容部３７の開口を塞いでいる。この表示パネル７ａを貼り付ける両面テープ４７は、水を透過させない性質を有し、外観パネル３１用の両面テープ４５と同じく防水部材として機能する。
【００２４】
その他のカードソケット９及びジャック部品１１を含む複数の電子部品は、キャビネット２９の後側収容部３９、つまりキャビネット２９の背面側で板金３５と外観パネル３１との間に収容されている。カードソケット９は、カード挿入口を上方に向けてキャビネット２９の上端部右側に配置されている。ジャック部品１１は、イヤホンジャック１１ａを上方に向けてキャビネット２９の上端部左側に配置されている。
【００２５】
外観パネル３１及び表示パネル７ａを貼り付ける両面テープ４５，４７は、筐体５の外周部分に設けられて、筐体５のうち後に詳述するストラップ取付部３と当該筐体５の厚さ方向、つまり前後方向において対応する部分に配置されている。これら両面テープ４５，４７は、携帯端末１の防水構造を構成している。
【００２６】
すなわち、キャビネット２９の前側収容部３７内の空間は、表示パネル７ａの外周部分とフレーム部３３とを接合する両面テープ４７で密閉されて、その両面テープ４７で防水された防水領域を構成している。また、キャビネット２９の後側収容部３９内の空間は、外観パネル３１の外周部分とフレーム部３３とを接合する両面テープ４５で密閉されて、その両面テープ４５で防水された防水領域を構成している。そして、キャビネット２９のうちこれら前側収容部３７及び後側収容部３９以外の部分は、防水保護されていない非防水領域を構成している。
【００２７】
図３に、図２のIIIで囲む部分を拡大した斜視図を示す。上記キャビネット２９の上面は、図３に示すように、カードソケット９のカード挿入口を開閉可能なキャップ部材４９と、ジャック部品１１の上方に対応する部分に両面テープ等の接合材で固定されたトップカバー５１によって覆われている。また、キャビネット２９の外周面のうちそれらキャップ部材４９及びトップカバー５１で覆われていない部分は、両面テープ等の接合材で固定された、図２に示す略Ｕ字状の装飾カバー５３によって覆われている。
【００２８】
装飾カバー５３は、キャビネット２９の下面を覆うロアカバー部５３ａと、このロアカバー部５３ａの左右両端から上方に延びてキャビネット２９の左右両側面を覆う一対のサイドカバー部５３ｂと、これら各サイドカバー部５３ｂの上端から延びてキャビネット２９の上面のうち左右両端部を覆う一対のアッパカバー部５３ｃとを有している。この装飾カバー５３と上記キャップ部材４９及びトップカバー５１とは、キャビネット２９の側面を覆う外装部品である。
【００２９】
ストラップ取付部３は、筐体５の外周部分のうち非防水領域、具体的には携帯端末１の上端に近接した側面（図１に示す例では左側面）部分に設けられている。本実施形態に係る携帯端末１は、当該ストラップ取付部３に特徴があるので、その構成について図４及び図５を参照しながら以下に詳述する。
【００３０】
図４は、図１のIV−IV線における携帯端末１の断面図である。図５は、図１のV−V線における携帯端末１の断面図である。このストラップ取付部３は、図４及び図５に示すように、ストラップ１０１が挿し通される通し孔５５と、その通し孔５５に挿し通したストラップ１０１を巻き掛け可能な被掛止部５７とを備える。
【００３１】
通し孔５５は、キャビネット２９のフレーム部３３とその側面を覆う装飾カバー５３のサイドカバー部５３ｂとに連続して形成されており、被掛止部５７の周囲を延びてその被掛止部５７の上下両側で筐体５の同一側面、本実施形態では左側面に開通している。装飾カバー５３のサイドカバー部５３ｂには、通し孔５５を構成する開口部５９が上下方向に所定の間隔をあけて一対に設けられている。そして、キャビネット２９には、通し孔５５を構成する通し孔本体６１が、筐体５の内方に凹むＵ字状に形成されて、サイドカバー部５３ｂの両開口部５９に対応する部分に開口している。
【００３２】
被掛止部５７は、前後方向に延びる柱状に設けられ、その一部がキャビネット２９に一体形成されている。具体的には、被掛止部５７は、キャビネット２９のうち通し孔本体６１に囲まれた部分と、装飾カバー５３のサイドカバー部５３ｂのうち一対の開口部５９の間の部分とで構成されている。本実施形態ではこのように、ストラップ１０１を巻き掛けて固定する被掛止部５７を、筐体５を構成するキャビネット２９に一体形成するようにしたので、ストラップ１０１が引っ張られたときにストラップ取付部３においてその荷重がかかる部分の強度を高めることができる。
【００３３】
通し孔本体６１の内面のうちこの被掛止部５７よりも奥側に位置する部分、つまり筐体５内方の部分には、当該通し孔５５における一方の開口から差し入れられたストラップ１０１を他方の開口へ案内するガイド面６３が設けられている。このガイド面６３は、一方向に湾曲する湾曲面からなり、通し孔５５の奥側部分でコーナー部を形成している。これにより、ストラップ１０１を通し孔５５に挿し通す際に、ガイド面６３に沿わせてスムーズに通すことが可能になっている。
【００３４】
ストラップ取付部３のうちこのガイド面６３を有する奥側壁部６４の左右方向における厚さは、被掛止部５７の裏側に対応する部分でキャビネット２９のうち被掛止部５７を構成する部分の同方向における厚さよりも薄くなっている。また、その奥側壁部６４の前後方向における高さは、当該奥側壁部６４の後端が後側収容部３９の中程に位置する程度の高さであって、奥側壁部の後端と外観パネル３１との間にはスペースｓが設けられている。このスペースｓには、サブアンテナ組品１９の一部が配置されている。
【００３５】
さらに、キャビネット２９のフレーム部３３には、通し孔本体６１のガイド面６３を構成する部分に通じ、且つ当該キャビネット２９の上方側面に開口する収容孔６５が設けられている。本実施形態の収容孔６５は、ジャック部品１１と隣り合わせに形成されている。この収容孔６５は、通し孔本体６１と内部空間が連続し、通し孔本体６１のうち被掛止部５７の裏側に位置する部分にまで形成されており、上方に臨む平坦な当接面６７を右側下端に有する。
【００３６】
上記収容孔６５には、キャビネット２９とは別ピースの補填部品６９が、当該収容孔６５の上方開口から挿し入れられて収容されている。補填部品６９は、直方体の左下側を湾曲状に切り欠いたような形状の小片ブロック体であって、その下端に収容孔６５の当接面６７に当接する位置決め用の端面７１を有し、また、その切欠き側の面、つまり左下側面にガイド面６３の一部、例えば上側半分を構成する湾曲面７３を有する。
【００３７】
この補填部品６９は、収容孔６５に収容された状態で、装飾カバー５３によって抜け止めされている。具体的には、装飾カバー５３の左側にあるアッパカバー部５３ｃが、収容孔６５の上方開口を塞いでおり、補填部品６９のうち通し孔５５側とは反対側の面、つまり上端面に当接することで、補填部品６９を抜け止めしている。そして、ガイド面６３の一部、例えば被掛止部５７の裏側に対応する部分を一部含む上半部分は、上記補填部品６９の湾曲面７３で構成されている。なお、キャビネット２９のフレーム部３３のうち通し孔５５の前後方向に対応する部分には、スライド型を抜くため等の開口は形成されていない。
【００３８】
図６に、キャビネット２９の成形工程図を示す。なお、図６に示す白抜き矢印は、金型２０１，２０３の抜き方向を示す。このことは、後に説明する実施形態２で参照する図１０においても同じである。キャビネット２９のうち通し孔本体６１及び収容孔６５を有する本実施形態の要部、つまりストラップ取付部３及びその周辺部分は、図６に示すように、２つの金型２０１，２０３を用いて成形することができる。
【００３９】
すなわち、キャビネット２９のうち通し孔本体６１の内面における被掛止部５７の裏側に対応する部分と収容孔６５の内面及びその開口の周辺部分とは、上方にスライドして抜かれる第１金型２０１を用いて成形される。また、キャビネット２９のうち通し孔本体６１における第１金型２０１で成形されない部分、つまり通し孔本体６１の下側開口及びその右側に対応する部分と被掛止部５７の上側に対応する部分とは、左方にスライドして抜かれる第２金型２０３を用いて成形される。
【００４０】
この実施形態１に係る携帯端末１によると、ストラップ取付部３の強度を高めることができるので、ストラップ１０１が引っ張られたときにストラップ取付部３が破損するのを防止できる。また、ストラップ１０１を通し孔５５にスムーズに通すことを可能とし、ユーザーによるストラップ１０１の取付け作業を容易化することができる。
【００４１】
さらに、この実施形態１に係る携帯端末１によれば、キャビネット２９の側面に開口した、通し孔本体６１に通ずる収容孔６５に補填部品６９を収容し、この補填部品６９で通し孔本体６１のガイド面６３を構成したから、上述したように、通し孔本体６１のうち被掛止部５７の裏側に対応する部分を、収容孔６５を形成する金型、つまり収容孔６５の開口からキャビネット２９の上側方へ抜く第２金型２０３を利用して形成することができる。これにより、筐体５の厚さ方向へ抜くスライド型を利用しなくても通し孔５５を形成でき、キャビネット２９に対しスライド型を抜くための開口を筐体５の厚さ方向に形成しなくても済むので、両面テープ４５，４７を以て筐体５内を良好に防水することができる。そして、通し孔５５の奥側壁部６４の厚さ及び高さが両面テープ４５，４７との関係で筐体５内の防水を実現するのに必要なサイズに制限されないので、ストラップ取付部３を小型化することができる。したがって、携帯端末１の防水構造を阻害せずに筐体５内部のスペースが圧迫されるのを抑制することができるので、携帯端末１内部の構造や部品配置に支障を来すことがないし、防水性能が損なわれることもない。
【００４２】
《実施形態１の変形例１》
図７に、この変形例１に係る携帯端末１の図５相当図を示す。上記実施形態１では、ガイド面６３の一部が、補填部品６９で構成されているとしたが、本変形例では、図７に示すように、ガイド面６３の全体が補填部品６９で構成されている。補填部品６９が収容されるキャビネット２９の収容孔６５は、通し孔５５を形成する部分よりも下側にまで形成されており、上方に臨む平坦な当接面６７を下端に有する。
【００４３】
本変形例の補填部品６９は、直方体の一側面における中程を断面略蒲鉾形をなす凹状に切り欠いたような形状の小片ブロック体であって、上記実施形態１と同様にその下端に位置決め用の端面７１を有し、また、その切欠き側の面、つまり凹状内面に湾曲面７５を有する。補填部品６９は、位置決め用の端面７１を収容孔６５の当接面６７に突き当てた状態で収容孔６５に収容され、上記実施形態１と同様に装飾カバー５３のアッパカバー部５３ｃによって抜け止めされている。その状態で、補填部品６９の湾曲面７５は、被掛止部５７側に臨み、ガイド面６３の全体を構成する。
【００４４】
《実施形態１の変形例２》
図８に、この変形例２に係る携帯端末１の要部の斜視図を示す。上記実施形態１では、装飾カバー５３のアッパカバー部５３ｃが補填部品６９を抜け止めするとしたが、本変形例では、図８に示すように、ストラップ取付部３及び収容孔６５がカードソケット９と隣り合わせに形成され、カードソケット９のカード挿入口を覆うキャップ部材４９が、収容孔６５の開口を塞いでおり、補填部品６９の上端面に当接することで、補填部品６９を抜け止めする。
【００４５】
《発明の実施形態２》
この実施形態２に係る携帯端末１は、ストラップ取付部３及びその周辺の構成が上記実施形態１と異なる。なお、この実施形態２では、ストラップ取付部３及びその周辺の構成が上記実施形態１と異なる他は携帯端末１について上記実施形態１と同様に構成されているので、構成の異なるストラップ取付部３及びその周辺の構成についてのみ説明し、同一の構成箇所は図１〜図６に基づく上記実施形態１の説明に譲ることにして、その詳細な説明を省略する。
【００４６】
図９に、この実施形態２に係る携帯端末１の図５相当図を示す。上記実施形態１では、ストラップ取付部３が携帯端末１の上端に近接した側面部分に設けられているとしたが、本実施形態では、ストラップ取付部３が携帯端末１の上端からやや下側の側面部分、具体的にはジャック部品１１よりも下側に位置する側面部分に設けられている。
【００４７】
キャビネット２９のフレーム部３３のうちストラップ取付部３の上側には、通し孔５５が開通された側面と同じ左側面に開口した、補填部品６９を差し入れ可能な凹部７７が設けられている。収容孔６５は、この凹部７７の内壁のうちストラップ取付部３側の側壁、つまり下側壁に設けられて、凹部７７内と通し孔５５とを連通させており、上記実施形態１と同様に、上方に臨む平坦な当接面６７を下端に有する。
【００４８】
補填部品６９は、位置決め用の端面７１を収容孔６５の当接面６７に突き当てた状態で収容孔６５に収容され、装飾カバー５３のサイドカバー部５３ｂによって抜け止めされている。具体的には、装飾カバー５３のサイドカバー部５３ｂは、凹部７７内に突出する板状の突片５３ｄを有し、凹部７７の開口を塞ぐと共に、その突片５３ｄを収容孔６５に収容された補填部品６９のうち通し孔５５側とは反対側の面、つまり上端面に当接させることで、補填部品６９を抜け止めする。
【００４９】
図１０に、この実施形態２に係るキャビネット２９の成形工程図を示す。キャビネット２９のうち通し孔本体６１、収容孔６５及び凹部７７を有する本実施形態の要部、つまりストラップ取付部３及びその周辺部分は、図１０に示すように、２つの金型２０５，２０７を用いて成形することができる。
【００５０】
すなわち、キャビネット２９のうち通し孔本体６１の内面における被掛止部５７の裏側に対応する部分と収容孔６５の内面及びその開口の周辺部分とは、上方にスライドさせた後に左方にスライドさせて抜かれる第１金型２０５を用いて成形される。また、キャビネット２９のうち通し孔本体６１における第１金型２０５で成形されない部分、つまり下側開口及びその右側に対応する部分と被掛止部５７の上側に対応する部分とは、左方にスライドして抜かれる第２金型２０７を用いて成形される。
【００５１】
図１１に、この実施形態２に係る筐体５の組立て工程図を示す。筐体５の組み立てに際しては、図１１に示すように、キャビネット２９の凹部７７内に補填部品６９を左方から挿し入れ、その補填部品６９を下方にスライドさせることで収容孔６５に収容しておく（補填部品６９を収容する際の移動軌跡を図１１に二点鎖線で示す）。その後に、装飾カバー５３をキャビネット２９に取り付けることで、当該装飾カバー５３のサイドカバー部５３ｂに設けられた突片５３ｄによって補填部品６９を抜け止めされた状態とする。
【００５２】
この実施形態２に係る携帯端末１によれば、ストラップ取付部３が携帯端末１の上端又は下端から離れた部分、たとえ側面中央部付近にあっても、上記実施形態１と同様な効果を得ることができる。
【００５３】
なお、上記実施形態１及び２では、補填部品６９が装飾カバー５３によって抜け止めされているとし、上記実施形態１の変形例２では、補填部品６９がキャップ部材４９によって抜け止めされているとしたが、これに限らず、補填部品６９は、トップカバー５１によって抜け止めされていてもよく、その他の外装部品やキャビネット２９に一体形成された爪片等を利用して抜け止めされていても構わない。
【００５４】
また、上記実施形態１では、ガイド面６３のうち被掛止部５７の裏側に対応する部分を部分的に含む一部が補填部品６９で構成されているとし、上記実施形態２では、ガイド面６３の全体が補填部品６９で構成されているとしたが、これに限らず、補填部品６９は、ガイド面６３のうち被掛止部５７の裏側に対応する部分を含まない一部のみを構成していてもよく、通し孔５５の内面のうち被掛止部５７よりも奥側に位置する部分の少なくとも一部が補填部品６９で構成されていれば構わない。
【００５５】
また、上記実施形態１及び２では、平板状の外観パネル３１と外装部品としての装飾カバー５３とを備えた携帯端末１を例に挙げて説明したが、これに限らず、携帯端末１は、これら外観パネル３１及び装飾カバー５３に代えて、外周縁部が前方に湾曲してキャビネット２９の外周面を覆う薄形皿状のリヤカバーを備えたものであってもよい。
【００５６】
上記リヤカバーを備える場合、ストラップ取付部３は、キャビネット２９のフレーム部３３とその側面を覆うリヤカバー部分とに連続して形成された通し孔と、この通し孔を通したストラップ１０１が巻き掛けて固定される被掛止部とを備えていればよい。また、この場合、補填部品６９はリヤカバーによって抜け止めされていてもよい。
【００５７】
また、上記実施形態１及び２では、本発明に係る携帯機器について、通話機能を備えた携帯端末１を例に挙げて説明したが、これに限らず、ＰＨＳ（Personal Handy-phone System）やＰＤＡ（Personal Digital Assistant）、タブレット端末、ウェアラブル端末、モバイルツール、電子辞書、電卓、ゲーム機、更には小型の液晶テレビ、ＢＤ（Blu-ray（登録商標） Disc）プレーヤ、ＤＶＤ（Digital Versatile Disc）プレーヤなどの他の携帯機器にも適用することが可能である。
【００５８】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【産業上の利用可能性】
【００５９】
以上説明したように、本発明は、ストラップを取り付け可能な携帯機器について有用であり、特に、防水構造を阻害せずに筐体内部のスペースが圧迫されるのを抑制することが要望される携帯機器に適している。
【符号の説明】
【００６０】
１…携帯機器（携帯端末）、３…ストラップ取付部、５…筐体、７…表示ユニット、
７ａ…表示パネル、９…カードソケット、１１…ジャック部品、１３…スピーカ、
１５…マイク、１７…アンテナ、１９…サブアンテナ組品、２１…カメラユニット、
２３…電池パック、２５…メイン回路基板、２７…サブ回路基板、
２９…キャビネット、３１…外観パネル、３３…フレーム部、３５…板金、
３７…前側収容部、３９…後側収容部、４１，４３…貼付部、
４５，４７…両面テープ（防水部材）、４９…キャップ部材（外装部品）、
５１…トップカバー（外装部品）、５３…装飾カバー（外装部品）、
５３ａ…ロアカバー部、５３ｂ…サイドカバー部、５３ｃ…アッパカバー部、
５３ｄ…突片、５５…通し孔、５７…被掛止部、５９…開口部、６１…通し孔本体、
６３…ガイド面、６５…収容孔、６７…当接面、６９…補填部品、
７１…位置決め用の端面、７３，７５…湾曲面（ガイド面）、７７…凹部、
１０１…ストラップ、２０１，２０５…第１金型、２０３，２０７…第２金型
３０１…携帯端末、３０３…ストラップ取付部、３０５…被掛止部、３０７…通し孔
３０９…筐体、３１１…キャビネット、３１３…リヤカバー、３１５…表示パネル
３１７…防水部材、３１９…開口、３２１…奥側壁部
【図１】
0006637684.tif 000002
【図２】
0006637684.tif 000003
【図３】
0006637684.tif 000004
【図４】
0006637684.tif 000005
【図５】
0006637684.tif 000006
【図６】
0006637684.tif 000007
【図７】
0006637684.tif 000008
【図８】
0006637684.tif 000009
【図９】
0006637684.tif 000010
【図１０】
0006637684.tif 000011
【図１１】
0006637684.tif 000012
【図１２】
0006637684.tif 000013
【図１３】
0006637684.tif 000014